(57)【特許請求の範囲】
【請求項１】
出入口の戸の戸先側に隣接して設けた縦手摺と横手摺を備え、縦手摺は、横手摺の上方から下方にわたって設けてあり、横手摺は、縦手摺よりも短尺で、縦手摺の周辺にのみ位置し、少なくとも戸側が略円弧状になっており、略円弧状の部分が縦手摺よりも前方及び側方に張り出して縦手摺の中間部を隙間をおいて囲んでいることを特徴とする出入口用手摺。
【請求項２】
縦手摺の中間部に湾曲部を有することを特徴とする請求項１記載の出入口用手摺。
【請求項３】
出入口の戸の戸先側に隣接して設けた縦手摺と横手摺を備え、縦手摺と横手摺は、縦手摺の下端部と横手摺の戸側端部とを近づけて略Ｌ形に配置してあり、横手摺は、縦手摺よりも短尺で、縦手摺の周辺にのみ位置し、少なくとも戸側が略円弧状になっており、略円弧状の部分が縦手摺よりも前方及び側方に張り出していることを特徴とする出入口用手摺。
【請求項４】
戸と、請求項１〜３の何れかに記載の出入口用手摺とを備える玄関。
【請求項５】
室外側に開く戸と、室外側に設けた請求項１又は２記載の出入口用手摺と、室内側に設けた請求項３記載の出入口用手摺とを備える玄関。
【発明の詳細な説明】
【技術分野】
【０００１】
本発明は、出入口に設けられる手摺と、その手摺を備えた玄関に関する。
【背景技術】
【０００２】
お年寄りや身体の不自由な人にとって、玄関の出入りは大きな障害であり、段差につまづいたり、閉まろうとするドアに足や杖が挟まったりして転び、怪我をすることも少なくない。また最近のドアは、防犯性を高めるために上部と下部の２箇所に錠が設けられており、これらを解錠しようとして上体を持ち上げたり屈めたりした際によろけて転倒することもある。また、力の弱い子供やお年寄りは、ドアを引いて開けるのが困難なことがある。健康な大人であっても、手が荷物でふさがっていたりすると、ドアの錠を解錠したりドアを開けたりするのが容易ではなく、ドアを通過する際に身体や荷物がドアに挟まり、荷物を落としたり転びそうになったりすることがある。
従来、廊下や階段、風呂場、トイレ等には、歩行や立ち上がりを補助するためによく手摺が設けてあるが（例えば、特許文献１，２参照）、玄関用の手摺としては、図９に示すように、ドア９０の戸先側に隣接して設けた縦の手摺９１単独のものしかなく、お年寄り等が玄関を安心して出入りするために十分なものではなかった。
【先行技術文献】
【特許文献】
【０００３】
【特許文献１】特開２０００−１９２６３３号公報
【特許文献２】特開２０００−８７４０８号公報
【発明の概要】
【発明が解決しようとする課題】
【０００４】
本発明は以上に述べた実情に鑑み、お年寄り等が出入口を安心して安全に出入できるようにするための出入口用手摺及び玄関の提供を目的とする。
【課題を解決するための手段】
【０００５】
上記の課題を達成するために請求項１記載の発明による出入口用手摺は、出入口の戸の戸先側に隣接して設けた縦手摺と横手摺を備え、縦手摺は、横手摺の上方から下方にわたって設けてあり、横手摺は、縦手摺よりも短尺で、縦手摺の周辺にのみ位置し、少なくとも戸側が略円弧状になっており、略円弧状の部分が縦手摺よりも前方及び側方に張り出して縦手摺の中間部を隙間をおいて囲んでいることを特徴とする。
【０００６】
請求項２記載の発明による出入口用手摺は、請求項１記載の発明の構成に加え、縦手摺の中間部に湾曲部を有することを特徴とする。
【０００７】
請求項３記載の発明による出入口用手摺は、出入口の戸の戸先側に隣接して設けた縦手摺と横手摺を備え、縦手摺と横手摺は、縦手摺の下端部と横手摺の戸側端部とを近づけて略Ｌ形に配置してあり、横手摺は、縦手摺よりも短尺で、縦手摺の周辺にのみ位置し、少なくとも戸側が略円弧状になっており、略円弧状の部分が縦手摺よりも前方及び側方に張り出していることを特徴とする。
【０００８】
請求項４記載の発明による玄関は、戸と、請求項１〜３の何れかに記載の出入口用手摺とを備えることを特徴とする。
【０００９】
請求項５記載の発明による玄関は、室外側に開く戸と、室外側に設けた請求項１又は２記載の出入口用手摺と、室内側に設けた請求項３記載の出入口用手摺とを備えることを特徴とする。
【発明の効果】
【００１０】
請求項１記載の発明による出入口用手摺は、出入口の戸の戸先側に隣接して縦手摺と横手摺が交差状に設けてあって、縦手摺が横手摺の下までのびているため、大人だけでなく子供も縦手摺をつかむことができ、縦手摺につかまることで戸の施解錠操作を行う際などに体がよろけるのを防止でき、また戸に力を伝えやすくなるため、力の弱い人でも戸を開けるのが容易になる。横手摺は、縦手摺よりも短尺で、縦手摺の周辺にのみ位置し、少なくとも戸側が略円弧状になっており、略円弧状の部分が縦手摺よりも前方及び側方に張り出して縦手摺の中間部を隙間をおいて囲んでいるので、その略円弧状の部分に体をそわせることで、お年寄り等が出入口を通過するのを良好にサポートできる。また、横手摺に荷物を置いたり引っ掛けたりすることができ、便利である。
【００１１】
請求項２記載の発明による出入口装置は、縦手摺の中間部に湾曲部を有していることで、縦手摺の中間部を手首を曲げることなく楽に握ることができる。
【００１２】
請求項３記載の発明による出入口用手摺は、出入口の戸の戸先側に隣接して縦手摺と横手摺が略Ｌ形の配置で設けてあって、縦手摺につかまることで戸の施解錠操作を行う際などに体がよろけるのを防止でき、また戸に力を伝えやすくなるため、力の弱い人でも戸を開けるのが容易になる。横手摺は、縦手摺よりも短尺で、縦手摺の周辺にのみ位置し、少なくとも戸側が略円弧状になっており、略円弧状の部分が縦手摺よりも前方及び側方に張り出しているので、その略円弧状の部分に体をそわせることで、お年寄り等が出入口を通過するのを良好にサポートできる。また、横手摺に荷物を置いたり引っ掛けたりすることができ、便利である。
【００１３】
請求項４記載の発明による玄関は、戸の戸先側に隣接して請求項１〜３の何れかに記載の出入口用手摺を備えていることで、玄関を出入りする際の一連の動作を効率よくサポートし、お年寄り等が玄関を安心して安全に出入りできるようになる。
【００１４】
請求項５記載の発明は、お年寄り等にとって比較的出入りのしづらい開き戸付きの玄関において、室外側に請求項１又は２記載の出入口用手摺を、室内側に請求項３記載の出入口用手摺をそれぞれ設けたことにより、玄関を出入りする際の一連の動作を効率よく総合的にサポートし、お年寄り等がより一層安心して安全に出入りできる玄関になる。
【図面の簡単な説明】
【００１５】
【図１】玄関のドアまわりの室外側正面図である。
【図２】玄関のドアまわりの室内側正面図である。
【図３】図１のＡ−Ａ断面図である。
【図４】玄関のドアまわりの横断面図である。
【図５−１】玄関に入る際の出入口用手摺の使用状態を順に示す斜視図である。
【図５−２】玄関に入る際の出入口用手摺の使用状態を順に示す斜視図（図５−１の続き）である。
【図６】室外側の出入口用手摺の使用状態の他の例を示す室外側正面図である。
【図７】玄関を出る際の出入口用手摺の使用状態を順に示す斜視図である。
【図８】出入口用手摺の設置状態の他の例を示す室外側正面図である。
【図９】従来の出入口用手摺の一例を示す室外側正面図である。
【発明を実施するための形態】
【００１６】
以下、本発明の実施形態を図面に基づいて説明する。図１〜４は、玄関９のドア１まわりの一実施形態を示している。玄関９の壁開口部１１にはドア枠１２が取付けられ、ドア枠１２内にドア本体１０が蝶番１３により室外側に開くように取付けられている。ドア本体１０は、戸先側の室外側面及び室内側面に縦長のハンドル１４ａ，１４ｂが設けてあり、ハンドル１４ａ，１４ｂの上方と下方の２箇所に錠１５ａ，１５ｂが設けてある。ドア１の戸先側に隣接する壁１６の室外側面及び室内側面には、それぞれ縦手摺３，７と横手摺４，８とで構成された出入口用手摺２，６が設置してある。
【００１７】
室外側の出入口用手摺２は、図１に示すように、縦手摺３と横手摺４とを交差して設けてある。縦手摺３は、金属製の丸パイプで約１ｍの長さに形成され、中間部を横手摺４の内側に挿通して交差させ、ドア１の戸先側の竪枠１７に沿うように垂直に配置され、上下端部をエンドエルボ１８，１８を介して壁１６に固定してある。縦手摺３は、大人だけでなく子供もつかまれるように、地面から３０〜４０ｃｍ程度の高さまで下方に長くのばしてある。縦手摺３の取付位置及び長さは、適宜調節することができる。縦手摺３の、横手摺４と交差する中間部には、ドア１から離れる方向に出っ張るように円弧状に湾曲した湾曲部５を有している。
横手摺３は、金属製の丸パイプを曲げて形成したものであって、図４に示すように、ドア１の戸先側に隣接する位置から円弧状に湾曲して室外側に大きく張り出す１／４円弧部１９と、室外側にまっすぐ張り出すストレート部２０とを有するものとなっており、１／４円弧部１９の内側に縦手摺３を挿通してある。横手摺４は、両端部が取付板２１に溶接等により固定され、取付板２１を壁１６に取付ネジ（図示省略）で固定して取り付けている。横手摺４は、壁１６から約３０ｃｍ室外側に張り出しており、横手摺４の設置高さは大人の腰ぐらいの高さ、具体的には地面から約８０ｃｍの高さにしている。横手摺４の取付位置は、適宜調節することができる。
【００１８】
室内側の出入口用手摺６は、図２に示すように、縦手摺７と横手摺８とが、縦手摺７の下端部と横手摺８のドア側端部とを近づけるように、Ｌ形の配置で設けてある。縦手摺７は、金属製の丸パイプで約５０ｃｍの長さに形成され、ドア１の戸先側の竪枠１７に沿うように垂直に配置され、上下端部をエンドエルボ１８，１８を介して壁１６に固定してある。縦手摺７の取付位置及び長さは、適宜調節することができる。
横手摺８は、金属製の丸パイプを曲げて形成したものであって、図４に示すように、ドア１の戸先側に隣接する位置から円弧状に湾曲して室内側に大きく張り出す１／４円弧部２２と、室内側にまっすぐ張り出すストレート部２３と、１／４円弧部２２とストレート部２３とを繋ぐ繋ぎ部２４を有するものとなっている。横手摺８は、両端部が取付板２１に溶接等により固定され、取付板２１を壁１６に取付ネジ（図示省略）で固定して取り付けている。横手摺８の壁１６からの張り出し量は約１５ｃｍで、縦手摺７よりも大きく室内側に張り出している。横手摺８の設置高さは、室外側の横手摺４と同じにしてある。横手摺８の取付位置は、適宜調節することができる。
【００１９】
次に、上述の出入口用手摺２，６の機能について説明する。図５−１，５−２は、お年寄りが玄関９に入るときの様子を示している。まず図５−１（ａ）に示すように、玄関前のポーチ３０の段を上る際、横手摺４につかまることで、容易に上ることができる。次に、錠１５ａ，１５ｂの解錠操作を行うにあたり、上側の錠１５ａを操作するときには上体を持ち上げ、下側の錠１５ｂを操作するときには上体を屈める不安定な姿勢になるが、その際に図５−１（ｂ）に示すように、縦手摺３につかまることで体を支えられ、安心して解錠操作が行える。このとき、縦手摺３の中間部に湾曲部５を設けてあるため、縦手摺３の中間部を握る際に手首を曲げない楽な状態で握ることができる。またこのときに、持っている杖２５を横手摺４に引っ掛けておけば、杖２５を倒す心配がない。荷物を持っている場合は、荷物を横手摺４に掛けたり載せたりすることができる。その後、図５−１（ｃ）に示すように、片方の手は縦手摺３につかまったままで、もう片方の手をドア１のハンドル１４ａにかけて引くことで、力を入れやすくなり、力の弱いお年寄りでも容易にドア１を開けることができる。その後は、図５−２（ｄ）に示すように、横手摺４のドア１側に人の動線に沿うように大きなＲのついた１／４円弧部１９が設けてあるため、この１／４円弧部１９に体をそわせることで、ドア１を安心して安全に通過できる。また図５−２（ｅ）に示すように、室内側の縦手摺７につかまって体を支えることもできる。
【００２０】
室外側の出入口用手摺２は、縦手摺３が横手摺４の下まで長くのびているため、図６（ａ）に示すように、小さい子供も縦手摺３につかまることができ、このように縦手摺３につかまりながらもう片方の手をハンドル１４ａにかけてドア１を引っ張ることで、力を入れやすくなるため、小さい子供でもドア１を容易に開けることができる。また図６（ｂ）に示すように、大人が玄関を入るときでも、荷物２６を横手摺４に載せたり引っ掛けたりすることで、鍵を探したり錠の解錠操作をしたりドアを開けたりするのが容易になる。
【００２１】
図７は、お年寄りが玄関９から出るときの様子を示している。まず図７（ａ）に示すように、上り框２７に腰掛けて靴を履いて立ち上がる際、横手摺８につかまることで容易に立ち上がることができる。次に、図７（ｂ）に示すように、縦手摺７につかまりながら錠１５ａ，１５ｂの解錠操作を容易に行うことができる。その後、ドア１を押して開け、図７（ｃ）に示すように、横手摺８の１／４円弧部２２に体をそわせることで、ドア１を安心して安全に通過できる。室外側の縦手摺３につかまって体を支えることもできる。
【００２２】
以上に述べたように、玄関９のドア１の戸先側に、縦手摺３，７と横手摺４，８とで構成された出入口用手摺２，６を室外側と室内側にそれぞれ設けることで、玄関９を出入りする際の一連の動作を効率よくサポートし、お年寄り等が安心して安全に玄関９を出入りできるようになる。
【００２３】
図８は、親子ドアに出入口用手摺２，６を設置する場合を示している。ドア枠１２内には、親ドア２８と子ドア２９がそれぞれ蝶番１３で開閉自在に取付けられており、小ドア２９の室外側面と室内側面に、上述の実施形態のものと同様な出入口用手摺２，６を取付けている。
【００２４】
本発明は、以上に述べた実施形態に限定されない。室外側と室内側の両方に、図１に示すように縦手摺３と横手摺４を交差状に設けたり、図２に示すように縦手摺７と横手摺８をＬ形の配置で設けてもよい。また、室外側と室外側の何れか一方側にのみ、交差状またはＬ形の配置の出入口用手摺を設けることもできる。横手摺４，８の戸１側は略円弧に近い多角形状であってもよい。戸は引戸であってもよいが、実施形態のような開き戸（ドア）に対して出入口用手摺を設けることで、縦手摺につかまってドアを引っ張ることで力を入れやすくなり、ドアを開けやすくできると共に、横手摺の円弧状部がドアを出入りするときの人の動線に沿う形になるため、より効果的である。本発明の出入口用手摺の設置場所としては、玄関に限らず、例えば病院や介護施設等の室内の部屋の出入口に設けることもできる。
【符号の説明】
【００２５】
１  ドア（戸）
２  出入口用手摺（室外側）
３  縦手摺（室外側）
４  横手摺（室外側）
５  湾曲部
６  出入口用手摺（室内側）
７  縦手摺（室内側）
８  横手摺（室内側）
９  玄関
【図１】
0005398398.tif 000002
【図２】
0005398398.tif 000003
【図３】
0005398398.tif 000004
【図４】
0005398398.tif 000005
【図５−１】
0005398398.tif 000006
【図５−２】
0005398398.tif 000007
【図６】
0005398398.tif 000008
【図７】
0005398398.tif 000009
【図８】
0005398398.tif 000010
【図９】
0005398398.tif 000011